(57)【要約】【課題】かごの天面に立設された立設体に被支持体を支持する支持体を備えているので、例えば、釣合い錘を保守点検するときに、作業者は、工具を交換する度に、工具を釣合い錘から支持体へ移動させるだけでよく、保守点検の作業効率を向上させることができるエレベータを得る。【解決手段】かご２と、このかご２の天面２ａに立設され、天面２ａの周囲に沿った手摺４と、この手摺４に設けられ、工具および部品を支持する支持体５とを備えている。【選択図】図１
2009161346.tif 000002
【特許請求の範囲】
【請求項１】
かごと、
前記かごの天面に立設され、前記天面の周囲に沿った立設体と、
前記立設体に設けられ、被支持体を支持する支持体とを備えたことを特徴とするエレベータ。
【請求項２】
前記支持体は、前記立設体に回動可能に設けられた支持本体と、前記立設体と前記支持本体との間に設けられた、前記支持本体を使用位置で係止可能にする係止部とを有していることを特徴とする請求項１に記載のエレベータ。
【請求項３】
前記支持体は、前記支持本体が倒伏して収納位置にあることを検出する検出部をさらに有し、
前記検出部は前記支持本体が前記収納位置にあると検出した場合に、前記かごの昇降が可能となることを特徴とする請求項２に記載のエレベータ。
【請求項４】
前記支持本体は、釣合い錘の下側に配置可能であることを特徴とする請求項１ないし請求項３の何れか１項に記載のエレベータ。
【請求項５】
前記立設体は、手摺であることを特徴とする請求項１ないし請求項４の何れか１項に記載のエレベータ。
【発明の詳細な説明】
【技術分野】
【０００１】
この発明は、かごと、例えば、このかごの天面に立設された手摺とを備えたエレベータに関する。
【背景技術】
【０００２】
従来、かごと、前記かごの天面の周囲に沿って立設され、前記かごの昇降に伴って発生する空気の流れを整えるカバーとを備えたエレベータが知られている（例えば、特許文献１参照）。
【０００３】
【特許文献１】特開平４−１４０２９４号公報
【発明の開示】
【発明が解決しようとする課題】
【０００４】
しかしながら、このものの場合、例えば、釣合い錘を保守点検するときに、作業者は、工具を交換する度に、工具を釣合い錘からかごの天面へ移動させなければならず、作業の効率が悪いという問題点があった。
【０００５】
この発明は、上述のような問題点を解決することを課題とするものであって、その目的は、例えば、釣合い錘を保守点検するときに、手摺に設けられた支持体に工具を置くことができるので、作業者は、工具を交換する度に、工具を釣合い錘からかごの天面へ移動させる必要がなく、作業効率を向上させることができるエレベータを提供するものである。
【課題を解決するための手段】
【０００６】
この発明に係るエレベータは、かごと、前記かごの天面に立設され、前記天面の周囲に沿った立設体と、前記立設体に設けられ、被支持体を支持する支持体とを備えている。
【発明の効果】
【０００７】
この発明に係るエレベータによれば、かごの天面に立設された立設体に被支持体を支持する支持体を備えているので、例えば、釣合い錘を保守点検するときに、作業者は、工具を交換する度に、工具を釣合い錘から支持体へ移動させるだけでよく、保守点検の作業効率を向上させることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータの要部を示す側面図、図２は図１のかご２、手摺４および支持体５を示す斜視図、図３は図１のかご２、釣合い錘３、手摺４および支持体５を示す平面図である。
この実施の形態に係るエレベータは、昇降路１内を昇降するかご２と、かご２に連動して昇降する釣合い錘３と、かご２の天面２ａに立設され、天面２ａの周囲に沿った立設体である手摺４と、手摺４に設けられた支持体５とを備えている。
かご２と釣合い錘３との間には、ロープ（図示せず）が接続されており、かご２が昇降すると、連動して、釣合い錘３が逆方向に昇降する。
【０００９】
手摺４は、コ字形状に形成されており、かご２の天面２ａの周囲に沿うとともに、開口部が昇降路１の内壁の乗場開口部（図示せず）側を向くように、配置されている。
作業者は、乗場開口部から、手摺４の開口部を通って、かご２の天面２ａに乗ることができる。
作業者がかご２の天面２ａで作業を行うときには、手摺４により、作業者がかご２の天面２ａから水平方向外側に移動することが抑制され、また、作業者は手摺４を掴むことで安定して天面２ａの上に立つことができる。
なお、この手摺４は、折りたたみ可能であってもよく、この場合、作業者がかご２の天面２ａで作業を行わないときには、手摺４を折りたたむことで、かご２の上方のスペースを有効に利用することができる。
【００１０】
支持体５は、手摺４に回動可能に取り付けられた支持本体であるトレイ５ａと、手摺４に取り付けられた、水平方向に回動して使用位置にあるトレイ５ａを係止する係止部５ｂとを有している。
トレイ５ａは、回動して使用位置となると、釣合い錘３の昇降する領域に配置される。
【００１１】
トレイ５ａと手摺４との間には、蝶番５ｄが取り付けられており、トレイ５ａが係止部５ｂと係合していないときは、トレイ５ａは、自重により手摺４から垂下され、収納位置となる。
係止部５ｂは、一端部が手摺４に回動自在に取り付けられており、他端部がトレイ５ａと係合可能となっている。
なお、係止部５ｂは、一端部がトレイ５ａに回動自在に取り付けられ、他端部が手摺４に係合可能であってもよい。
【００１２】
手摺４には、トレイ５ａが収納位置にあることを検出する検出部５ｃが取り付けられており、この検出部５ｃは、エレベータの制御部（図示せず）へ送信可能となっている。
トレイ５ａが収納位置にある場合には、検出部５ｃからエレベータの制御部に信号を送り、かご２の昇降が可能となる。
【００１３】
釣合い錘３の保守点検をする場合には、まず、作業者が、かご操作手段（図示せず）を用いて、かご２の天面２ａが釣合い錘３の下面より、少し下にくるようにかご２を昇降させる。
次に、トレイ５ａを水平方向に回動させて使用位置にし、釣合い錘３の下側へトレイ５ａを配置させた後、係止部５ｂにより、使用位置にあるトレイ５ａを係止する。
このとき、検出部５ｃは、トレイ５ａが収納位置にないことを検出し、制御部へ送信して、かご２は昇降されなくなる。
次に、かご２の天面２ａにある保守点検に用いる工具および部品を、一度、トレイ５ａの上に乗せる。
このとき、工具および部品には、落下防止のために伸縮ワイヤー（図示せず）が取り付けられており、例えば、作業者が工具または部品を手から落とした場合であっても、工具または部品が昇降路１の底面へ落ちてしまうことが防止される。
この状態で、釣合い錘３の保守点検を行うと、工具および部品が釣合い錘３の近くに配置されるので、工具を交換する度に、工具を釣合い錘３からかご２の天面２ａに移動させる必要がない。
【００１４】
釣合い錘３の保守点検が終了した場合には、作業者は、係止部５ｂをトレイ５ａから外し、トレイ５ａを倒伏させて収納位置に配置する。
このとき、検出部５ｃは、トレイ５ａが収納位置にあることを検出し、エレベータの制御部に信号を送り、制御部はかご２の昇降を可能にする。
【００１５】
以上説明したように、この実施の形態に係るエレベータによれば、かご２の天面２ａに立設された手摺４に支持体５が取り付けられているので、例えば、釣合い錘３の保守点検のときに、工具および部品を支持体５の上に乗せることで、工具を交換する度に、工具を釣合い錘３から支持体５へ移動させるだけでよく、保守点検の作業効率を向上させることができる。
また、かご２の天面２ａに工具および部品を置かないので、作業者の足元のスペースが広くなり、作業効率を向上させることができる。
【００１６】
また、支持体５は、手摺４に回動可能に取り付けられたトレイ５ａと、このトレイ５ａを使用位置で係止する係止部５ｂとを有しているので、例えば、釣合い錘３の保守点検のときに、簡単に、トレイ５ａを釣合い錘３の下側に配置することができる。
【００１７】
また、支持体５は、トレイ５ａが収納位置にあることを検出する検出部５ｃをさらに有し、この検出部５ｃによりトレイ５ａが収納位置にあると検出されたときに、かご２の昇降が可能となるので、トレイ５ａが釣合い錘３の昇降領域にある場合には、かご２が昇降されず、トレイ５ａと釣合い錘３とが衝突することを防止することができる。
【００１８】
また、トレイ５ａは、釣合い錘３の下側に配置可能であるので、釣合い錘３を保守点検中に、工具などが落下することを抑制することができる。
【００１９】
支持体５は手摺４に取り付けられているので、支持体５を支持する土台を新たに設ける必要がなく、簡単に、支持体５を取り付けることができる。
【００２０】
なお、上記実施の形態では、回動可能なトレイ５ａと、このトレイ５ａを使用位置で係止する係止部５ｂとを有した支持体５について説明したが、勿論このものに限らず、例えば、手摺４に着脱可能な支持体５であってもよく、また、手摺４に摺動可能な支持体５であってもよい。
【００２１】
また、上記実施の形態では、立設体として、かご２の天面２ａに立設された手摺４を例に説明したが、勿論このものに限らず、例えば、かご２の天面２ａに立設された、かご２の昇降に伴って発生する空気の流れを整えるカバーであってもよく、このカバーに支持体５を取り付けることで、保守点検の作業効率を向上させることができる。
【００２２】
また、上記実施の形態では、釣合い錘３の保守点検に用いられる支持体５について説明したが、勿論このものに限らず、その他の作業にも用いることができる。
【図面の簡単な説明】
【００２３】
【図１】実施の形態１に係るエレベータの要部を示す側面図である。
【図２】図１のかご、手摺および支持体を示す斜視図である。
【図３】図１のかご、釣合い錘、手摺および支持体を示す平面図である。
【符号の説明】
【００２４】
１  昇降路、２  かご、２ａ  天面、３  釣合い錘、４  手摺（立設体）、５  支持体、５ａ  トレイ（支持本体）、５ｂ  固定部、５ｃ  検出部、５ｄ  蝶番。
【図１】
2009161346.tif 000003
【図２】
2009161346.tif 000004
【図３】
2009161346.tif 000005